(57)【要約】【課題】  テレビジョン放送の受信や受信した映像の記憶を、ファクシミリ装置に備えられる機能を利用して行う。【解決手段】  テレビ機能付きファクシミリ装置１は、公衆回線を通してファクシミリ通信を行うとともに、ＴＶ受信手段としてのＴＶ映像受信部３１および記憶手段としての録画用大容量記憶装置３２を含む。ＴＶ受信手段は、テレビジョン放送を受信可能であり、記憶手段には、ファクシミリ通信で送受信する画像、およびＴＶ受信手段で受信するテレビジョン放送の映像を記憶可能である。ファクシミリ装置としては、メモリ機能などで記憶手段が必要であり、テレビジョン放送を受信した映像の記憶を、ファクシミリ装置に備えられるメモリ機能を利用して行うことができる。映像の受信、記憶またはその予約を、ファクシミリ装置としての通信機能や原稿読取り機能を利用して行わせることもできる。【選択図】      図１
2006340307.tif 000002
【特許請求の範囲】
【請求項１】
公衆回線を通してファクシミリ通信を行うとともに、テレビジョン放送を受信可能なＴＶ受信手段を備えるテレビ機能付きファクシミリ装置において、
ファクシミリ通信で送受信する画像、およびＴＶ受信手段で受信するテレビジョン放送の映像を記憶可能な記憶手段を、
含むことを特徴とするテレビ機能付きファクシミリ装置。
【請求項２】
前記ＴＶ受信手段および前記記憶手段による前記テレビジョン放送の映像の記憶を、予約に従って実行し、予約の取消しも可能な予約手段をさらに含むことを特徴とする請求項１記載のテレビ機能付きファクシミリ装置。
【請求項３】
前記ＴＶ受信手段、前記記憶手段および前記予約手段のうちの少なくとも１つは、ファクシミリ通信用に備えられる機能を利用して操作が可能であることを特徴とする請求項２記載のテレビ機能付きファクシミリ装置。
【請求項４】
前記操作は、前記ファクシミリ通信用に備えられる機能としての原稿読取り機能を利用して、所定フォーマットで記入した原稿を読取らせて行われることを特徴とする請求項３記載のテレビ機能付きファクシミリ装置。
【請求項５】
前記操作は、前記ファクシミリ通信で、所定フォーマットで記入した原稿を受信して行われることを特徴とする請求項３または４記載のテレビ機能付きファクシミリ装置。
【請求項６】
子機を含み、
子機によって前記操作が可能であることを特徴とする請求項３〜５のいずれか１つに記載のテレビ機能付きファクシミリ装置。
【請求項７】
電話通信が可能な電話通信手段をさらに含み、
前記操作を案内する音声ガイダンスを、電話通信手段を介して行うことを特徴とする請求項３〜６のいずれか１つに記載のテレビ機能付きファクシミリ装置。
【請求項８】
前記ファクシミリ通信を行う際に、操作に関する画像表示を行う表示手段と、
音声を出力する出力手段とをさらに含み、
表示手段は、前記ＴＶ受信手段が受信するテレビジョン放送の映像の表示、および前記記憶手段に記憶される映像の表示も行い、
概映像に含まれる音声は、出力手段から出力することを特徴とする請求項１〜７のいずれか１つに記載のテレビ機能付きファクシミリ装置。
【発明の詳細な説明】
【技術分野】
【０００１】
本発明は、公衆回線を通してファクシミリ通信を行うとともに、テレビジョン放送の受信や録画再生が可能なテレビ機能付きファクシミリ装置に関する。
【背景技術】
【０００２】
従来から、ファクシミリ装置に画像表示部を設け、画像表示部を利用して映像を表示し、テレビジョン放送の受信を可能にする技術が提案されている（たとえば、特許文献１、２参照。）。この種の装置では、アンテナを通してテレビジョン（以下、「ＴＶ」と略称することがある。）放送を受信するためのＴＶチューナを備え、ＴＶチューナで受信したテレビ画像とファクシミリ通信で受信した受信画像とを選択して画像表示部に表示することが可能である。
【０００３】
特許文献１に開示されている画像受信装置では、ファクシミリ通信での受信画像の表示を行う表示部で、テレビジョン放送で放送された映像の表示を行うことも可能にしている。ただし、テレビジョン放送の映像表示は可能であっても、だが、テレビジョン放送として受信した映像の録画はできない。特許文献２に開示されている映像情報端末装置では、テレビジョン放送受信装置とファクシミリ装置とを一体化させているばかりではなく、テレビジョン放送から受信する映像をビデオテープに録画再生する機能も備えており、ビデオテープはファクシミリ情報の記録媒体としても使用している。ただし、テレビジョン映像の録画再生用と、ファクシミリ画像の記録用とでは、別のビデオテープ記録装置を使用している。このようなビデオテープによる録画に対して、ファクシミリ装置としての機能を利用して外出先などから操作を可能にする機能は設けられていない。
【０００４】
特許文献２のように、テレビジョン放送の受信は、映像を記録しておいて、後から再生する目的でも行われている。映像の記録は、磁気テープや光ディスクなどの記録媒体に記録したり、ハードディスク装置などの大容量記憶装置に記憶したりすることによって行われる。このような記録装置のうちで、たとえばＤＶＤ（Digital Versatile Disk ）レコーダ装置では、一部に公衆回線を通して録画予約を行うことが可能な機種もあるけれども、ファクシミリ通信機能はない。
【０００５】
公衆回線を介して画像と音声とによるテレビ電話の機能を有し、ファクシミリ通信の機能も備える一体型テレビ電話機も開示されている（たとえば、特許文献３参照。）。外部にビデオテープレコーダを接続し、留守時の録音・録画を行うことも開示されているけれども、テレビジョン放送の受信や録音・録画を行う考え方は示されていない。
【０００６】
【特許文献１】特開平６−８５９９５号公報
【特許文献２】特開平６−３２６８１４号公報
【特許文献３】特開平５−３０５０２号公報
【発明の開示】
【発明が解決しようとする課題】
【０００７】
ファクシミリ装置やテレビ電話装置などでは、表示装置の大画面化や高画質化が進んでおり、外部からの入力によりテレビジョン放送の映像を表示可能なものもあるけれども、テレビジョン放送の映像を録画・再生する機能は備えられていない。またＤＶＤレコーダ装置やビデオテープレコーダ装置では、一般的に、テレビジョン放送の映像の録画は可能であるけれども、表示装置は備えられていない。表示装置が備えられる機種でもその画面サイズは小さい。これらの録画・再生装置では、テレビジョン受信機等のモニタ装置に接続することで始めて操作性が向上する。
【０００８】
本発明の目的は、上述の課題を解決するため、テレビジョン放送の受信や受信した映像の記憶を、ファクシミリ装置に備えられる機能を利用して行うことができるテレビ機能付きファクシミリ装置を提供することである。
【課題を解決するための手段】
【０００９】
本発明は、公衆回線を通してファクシミリ通信を行うとともに、テレビジョン放送を受信可能なＴＶ受信手段を備えるテレビ機能付きファクシミリ装置において、
ファクシミリ通信で送受信する画像、およびＴＶ受信手段で受信するテレビジョン放送の映像を記憶可能な記憶手段を、
含むことを特徴とするテレビ機能付きファクシミリ装置である。
【００１０】
本発明に従えば、テレビ機能付きファクシミリ装置は、公衆回線を通してファクシミリ通信を行うとともに、ＴＶ受信手段および記憶手段を含む。ＴＶ受信手段は、テレビジョン放送を受信可能であり、記憶手段には、ファクシミリ通信で送受信する画像、およびＴＶ受信手段で受信するテレビジョン放送の映像を記憶可能である。ファクシミリ装置としては、メモリ機能などで記憶手段が必要であり、テレビジョン放送を受信した映像の記憶を、ファクシミリ装置に備えられるメモリ機能を利用して行うことができる。
【００１１】
また本発明で、前記ＴＶ受信手段および前記記憶手段による前記テレビジョン放送の映像の記憶を、予約に従って実行し、予約の取消しも可能な予約手段をさらに含むことを特徴とする。
【００１２】
本発明に従えば、ファクシミリ装置に備えられるメモリ機能を利用するテレビジョン放送の映像の記憶を、予約したり、予約を取消したりしながら行うことができる。
【００１３】
また本発明で、前記ＴＶ受信手段、前記記憶手段および前記予約手段のうちの少なくとも１つは、ファクシミリ通信用に備えられる機能を利用して操作が可能であることを特徴とする。
【００１４】
本発明に従えば、ＴＶ受信手段によるテレビジョン放送の受信、受信した映像の記憶手段による記憶、および受信や記憶の予約による予約のうちの少なくとも１つはファクシミリ通信用に備えられる機能を利用して操作が可能であるので、ファクシミリ装置としての通信機能や画像処理機能を利用して、テレビジョン放送の映像の受信や記憶の操作を有効に行うことができる。
【００１５】
また本発明で、前記操作は、前記ファクシミリ通信用に備えられる機能としての原稿読取り機能を利用して、所定フォーマットで記入した原稿を読取らせて行われることを特徴とする。
【００１６】
本発明に従えば、所定フォーマットで記入した原稿を、ファクシミリ通信用に備えられる機能としての原稿読取り機能を利用して読取らせれば、テレビジョン放送の映像の受信や記憶の操作を有効に行わせることができる。
【００１７】
また本発明で、前記操作は、前記ファクシミリ通信で、所定フォーマットで記入した原稿を受信して行われることを特徴とする。
【００１８】
本発明に従えば、所定フォーマットで記入した原稿を公衆回線を通して送信すれば、受信してテレビジョン放送の映像の受信や記憶の操作を有効に行わせることができる。
【００１９】
また本発明では、子機を含み、
子機によって前記操作が可能であることを特徴とする。
【００２０】
本発明に従えば、子機によって、テレビジョン放送の映像の受信や記憶の操作を有効に行わせることができる。
【００２１】
また本発明では、電話通信が可能な電話通信手段をさらに含み、
前記操作を案内する音声ガイダンスを、電話通信手段を介して行うことを特徴とする。
【００２２】
本発明に従えば、ファクシミリ装置として併設されている場合が多い電話通信手段を介して、テレビジョン放送の映像の受信や記憶の操作を音声ガイダンスで案内して有効に行わせることができる。
【００２３】
また本発明では、前記ファクシミリ通信を行う際に、操作に関する画像表示を行う表示手段と、
音声を出力する出力手段とをさらに含み、
表示手段は、前記ＴＶ受信手段が受信するテレビジョン放送の映像の表示、および前記記憶手段に記憶される映像の表示も行い、
概映像に含まれる音声は、出力手段から出力することを特徴とする。
【００２４】
本発明に従えば、ファクシミリ通信を行う際に操作に関する画像表示を行う表示手段を利用して、ＴＶ受信手段が受信するテレビジョン放送の映像の表示、および記憶手段に記憶される映像の表示も行いと、音声を出力する出力手段を利用して映像に含まれる音声の出力を行うので、ファクシミリ装置に備えられる機能を利用して、テレビジョン放送の映像の再生を行うことができる。
【発明の効果】
【００２５】
本発明によれば、テレビジョン放送を受信した映像の記憶を、ファクシミリ通信を行うファクシミリ装置に備えられるメモリ機能を利用して行うことができる。
【００２６】
また本発明によれば、ファクシミリ装置のメモリ機能を利用するテレビジョン放送の映像の記憶を、予約したり、予約を取消したりしながら行うことができる。
【００２７】
また本発明によれば、ファクシミリ装置としての通信機能や画像処理機能を利用して、テレビジョン放送の映像の受信や記憶の操作を有効に行うことができる。
【００２８】
また本発明によれば、ファクシミリ通信用に備えられる機能としての原稿読取り機能を利用して、テレビジョン放送の映像の受信や記憶の操作を有効に行わせることができる。
【００２９】
また本発明によれば、原稿の受信機能を利用して、テレビジョン放送の映像の受信や記憶の操作を有効に行わせることができる。
【００３０】
また本発明によれば、子機との通信機能を利用して、テレビジョン放送の映像の受信や記憶の操作を有効に行わせることができる。
【００３１】
また本発明によれば、ファクシミリ装置に併設される電話通信手段を利用して、テレビジョン放送の映像の受信や記憶の操作の音声ガイダンスを行わせることができる。
【００３２】
また本発明によれば、ファクシミリ装置に備えられる画像表示や音声出力の機能を利用して、テレビジョン放送の映像の再生を行うことができる。
【発明を実施するための最良の形態】
【００３３】
図１は、本発明の実施の一形態としてのテレビ機能付きファクシミリ装置１の概略的な電気的構成を示す。まずはじめに、テレビ機能付きファクシミリ装置１のシステム全体について説明する。
【００３４】
テレビ機能付きファクシミリ装置１のシステム全体は、マイコンを含む主制御部２で制御される。ユーザが操作する操作パネル３のキー入力は、キー・センサ入力部４で検出される。読み取り制御部５で制御されるスキャナ部６で、原稿を読み取る。印字制御部７で制御されるプリンタ部８で、原稿などの印字を行う。原稿などの画像を表示する場合は、画像処理部１０で画像処理を施し、表示制御部１１を通して表示装置１２にて表示する。
【００３５】
ファクシミリ通信の場合には、読み取り制御部５で制御されたスキャナ部６で原稿の画像を読み取り、画像処理部１０でシェーディング補正、ディジタル化処理、カラー読取りの場合は色変換、モノクロの場合は中間調処理などを必要に応じて行い、ファクシミリ通信制御部１５で圧縮処理を施した後、電話機能制御部１６を経由して、回線インタフェース部１７を通して一般の公衆電話回線（ＰＳＴＮ:Public Switched Telephone Network）などの電話回線により通信相手機に伝送される。
【００３６】
また回線インタフェース部１７を通して受信したファクシミリ受信データは、ファクシミリ通信制御部１５で受信制御および復号処理され、画像処理部１０で印字サイズや解像度に合うように変換された後、印字制御部７により制御されたプリンタ部８から出力される。この際に、ファクシミリ受信画像を表示装置１２で表示する場合は、画像処理部１０で処理された画像データを、表示制御部１１を経由して表示装置１２に表示させる。
【００３７】
電話機能制御部１６は、ユーザが操作パネル３のキー入力で発呼を行った場合の電話発信処理と、通話相手からの着信時の通話処理とを行う。また電話回線より着呼があった場合には、着信の検出を回線インタフェース部１７で行う。
【００３８】
コードレス電話用無線制御部２１は、付属のコードレス子機２２との無線通信の制御を行っており、コードレス子機２２での電話の発着呼や通話を実現している。
【００３９】
大容量記憶装置２４は、たとえばハードディスク装置のような記憶装置であり、数〜数１００Ｇバイト程度の大きな記憶容量を有する。光ディスク等の記録媒体で記録可能なもの（ＤＶＤ−Ｒ，ＲＷ等）や、フラッシュメモリなどの半導体メモリを用いることもできる。
【００４０】
大容量記憶装置２４へのデータの書き込みと読み出し、およびその中のファイルの管理は大容量記憶装置制御部２５により行われる。したがって、ファクシミリ通信での受信画像データを保存する場合は、画像処理部１０で記憶するために圧縮処理された画像データを、大容量記憶装置制御部２５により制御される大容量記憶装置２４に保存することができる。また、スキャナ部６で読み取られた画像も、画像処理部１０でシェーディング補正、ディジタル化処理、カラー読み取りの場合は色変換、モノクロの場合は中間調処理などを必要に応じて行い、記憶するために圧縮され、大容量記憶装置制御部２５により制御される大容量記憶装置２４に保存する。保存された画像は、連続的に送信することができる。また、予め設定される時間スケジュールに従い、予め指定される相手に送信することもできる。保存している受信画像は、操作パネル３へのユーザからの操作に応じて読出され、プリンタ部８で印字したり、表示装置１２で表示したりすることができる。
【００４１】
ＴＶ制御部２６は、ＴＶアンテナに接続可能なＴＶチューナ２７の制御を行っており、ＴＶチューナ２７で受信したＴＶ番組の映像を、画像処理部１０で解像度変換や色変換などを行い、表示制御部１１を通して表示装置１２で表示することができる。また、この受信したＴＶ映像は録画・再生制御部２８により大容量記憶装置２４に録画することができる。録画・再生制御部２８では、その大容量記憶装置２４に録画した画像やＴＶ映像を再生して、表示制御部１１を通して表示装置１２に表示することができる。
【００４２】
以上のような、主制御部２、操作パネル３、キー・センサ入力部４、読取り制御部５、スキャナ部６、印字制御部７、プリンタ部８、画像処理部１０、表示制御部１１、表示装置１２、ファクシミリ通信制御部１５、電話機能制御部１６、回線インタフェース部１７、およびコードレス電話用無線制御部２１は、従来の大画面付きのファクシミリ装置と同様な構成である。すなわち、以上のようなテレビ機能付きファクシミリ装置１は、前述の課題を解決するため、従来と同様な大画面付きのファクシミリ装置３０に、ＴＶチューナ２７と、そのＴＶ映像を表示装置１２に表示するためのＴＶ制御部２６とを含むＴＶ映像受信部３１と、受信したＴＶ映像の録画・再生制御部２８と、録画用大容量記憶装置３２となる大容量記憶装置２４および大容量記憶装置制御部２５とを付加して構成される。
【００４３】
このようなテレビ機能付きファクシミリ装置１は、公衆回線を通してファクシミリ通信を行うとともに、ＴＶ受信手段としてのＴＶ映像受信部３１および記憶手段としての録画用大容量記憶装置３２を含む。ＴＶ受信手段は、テレビジョン放送を受信可能であり、記憶手段には、ファクシミリ通信で送受信する画像、およびＴＶ受信手段で受信するテレビジョン放送の映像を記憶可能である。ファクシミリ装置としては、メモリ機能などで記憶手段が必要であり、テレビジョン放送を受信した映像の記憶を、ファクシミリ装置に備えられるメモリ機能を利用して行うことができる。
【００４４】
図２は、図１のテレビ機能付きファクシミリ装置１に対して、外出先からＴＶ映像の録画設定を行う場合の手順を示す。ステップａ０でユーザが外出先からテレビ機能付きファクシミリ装置１を、電話回線を利用して電話番号で呼び出すと手順が開始される。ステップａ１ではテレビ機能付きファクシミリ装置１に対して電話回線より着呼がある。テレビ機能付きファクシミリ装置１が留守モードに設定されており、ユーザ不在であれば、ステップａ２までに所定回数の呼び出し音を鳴動した後、電話機能制御部１６で着信制御を行う。まず、ステップａ３で、留守応答のメッセージを電話機能制御部１６より送出する。ステップａ４では、留守応答のメッセージの送出中に、相手からたとえば"＊"、"＃"、および"５"のトーン信号が連続して送られてくるか否かを検出する。これらのトーン信号が所定時間内に連続して検出されないと、ステップａ５で通常の留守録モードに移行する。ステップａ４で、前述のトーン信号が連続して検出されると、ステップａ６で、リモート録画設定モードに移行する。なお、ユーザがテレビ機能付きファクシミリ装置１を発呼するのは、ＴＶ映像の録画設定の場合に限られるような場合、ユーザが使用する電話機の番号をテレビ機能付きファクシミリ装置１に登録しておき、登録された番号からの着呼で直ちにリモート録画設定モードに移行させるようにしてもよい。
【００４５】
このモードに移行すると、ステップａ７でテレビ機能付きよりリモート録画設定の案内の音声ガイダンスを前記電話機能制御部１６より送出し、ユーザはそのガイダンスに沿って電話機のトーン信号を用いて、録画するチャネル、録画開始・終了時刻、録画モードを設定することができる。ステップａ８では、ユーザからの設定に従って録画の予約等を行い、ステップａ９で手順を終了する。録画の設定では、テレビジョン放送の番組表などに記載されている録画予約コードを用いることもできる。電話機として携帯電話などの画像表示機能を有するものを使用する場合、ガイダンスはメールで行うようにしてもよい。このメールでは、現在の予約状況を表示してもよい。
【００４６】
なお、コードレス子機２２がコードレス電話用無線制御部２１に無線電波を介して接続されていれば、コードレス子機２２から前述の操作を行うようにすることもできる。コードレス子機２２は、無線電波ばかりではなく、光や超音波などを介して無線で接続されていてもよいことはもちろんである。また、信号ケーブルや光ファイバなどを介して有線で接続される子機でも、同様の操作は可能である。
【００４７】
図３は、本発明の実施の他の形態として、外出先等からのＴＶ映像録画設定を、ファクシミリ装置としての基本的な機能である画像読取り機能を用いて行う概略的な手順を示す。このような録画設定の機能は、図２に示す機能とともに備えておくようにすることもできる。
【００４８】
図１のテレビ機能付きファクシミリ装置１では、予め所定のフォーマットを内部メモリに記憶しておく。ステップｂ０で、ユーザはそのフォーマットの所定の位置に、録画するチャネル、録画開始・終了時刻、録画モードを記載した原稿を、外出先よりファクシミリ送信する。ステップｂ１では着呼を行い、ステップｂ２では所定フォーマットの原稿であるか否かを判断する。所定フォーマットの原稿であれば、ステップｂ３で録画するチャネル、録画開始・終了時刻、録画モードを読取り、ステップｂ４では、ユーザからの設定に従って録画の予約等を行い、ステップｂ５で手順を終了する。ステップｂ２で所定のフォーマットではないと判断するときは、ステップｂ６で通常のファクシミリ原稿の受信処理を行う。本形態では受信した所定フォーマット内の予め設定したコードなどを検出することで、録画設定フォーマットの受信であることを認識して記入内容を読み取り、その内容に準じて録画の予約等を行うことができる。
【００４９】
なお、ファクシミリ装置では、一般に、スキャナ部６を利用して、イメージスキャナとして動作させたり、スキャナ部６およびプリンタ部８を利用して、コピー機として動作させることもできる。在宅時の録画予約について、上記外出先からのファクシミリ通信による録画設定と同様に、原稿を所定フォーマットで記載し、スキャナ部６で読み取ることで、録画設定フォーマットの入力であることを認識して記入内容を読取り、その内容に準じて録画を行うこともできる。
【００５０】
このような、ファクシミリ装置に備えられるメモリ機能を利用するテレビジョン放送の映像の記憶の予約は、既に予約されている場合には、予約を取消して行うことができることはもちろんである。また、読取り機能や通信機能などのファクシミリ通信用に備えられる機能を利用する操作は、予約ばかりではなく、リアルタイムで、ＴＶ映像受信部３１でのテレビジョン放送の受信や、録画用大容量記憶装置３２での映像の記憶に対しても行うことができる。ＴＶ映像受信部３１によるテレビジョン放送の受信、受信した映像の録画用大容量記憶装置３２による記憶、および受信や記憶の予約による予約のうちの少なくとも１つはファクシミリ通信用に備えられる機能を利用して操作が可能であるので、ファクシミリ装置としての通信機能や画像処理機能を利用して、テレビジョン放送の映像の受信や記憶の操作を有効に行うことができる。
【００５１】
図１に示すようなテレビ機能付きファクシミリ装置１では、ファクシミリ装置とＴＶ受信装置の一体化が可能となり、省スペース化を図ることが可能となる。また録画設定についても、キー操作だけでなく、所定フォーマットの用紙に記載した原稿をスキャナ部６で読取るだけでも可能となるため、ユーザの操作性を向上することができる。さらに外出先からは、電話接続により音声ガイダンスに沿って録画予約を行うことができるとともに、前述の所定用紙へ記載してファクシミリ通信でも録画予約を行うことができるため、便利であるとともにユーザの操作性を向上することができる。
【００５２】
テレビ機能付きファクシミリ装置１には、表示装置１２による画像表示と、コピー／ファクシミリ通信／コードレス電話機能があることより、大容量記憶装置２４にハードディスク装置を使用する場合でも、現在市販されているハードディスクレコーダには不可能な機能を実現することができる。すなわち、付属の表示装置１２で確認しながら操作を行うことができ、用紙に録画設定を記載しスキャナ部６で読取ることでも設定操作等を行うことを可能としているからである。また外出先からは、電話を行い音声ガイダンスによるキー入力または用紙に録画設定をしてファクシミリ送信することで録画設定を行うことを可能としている。これらファクシミリ装置に備わる機能の利用により、操作性を向上させることを可能としている。
【図面の簡単な説明】
【００５３】
【図１】本発明の実施の一形態としてのテレビ機能付きファクシミリ装置１の概略的な電気的構成を示すブロック図である。
【図２】図１のテレビ機能付きファクシミリ装置１に対して、外出先からＴＶ映像の録画設定を行う場合の概略的な手順を示すフローチャートである。
【図３】本発明の実施の他の形態として、外出先等からのＴＶ映像録画設定を、ファクシミリ装置としての基本的な機能である画像読取り機能を用いて行う概略的な手順を示すフローチャートである。
【符号の説明】
【００５４】
１  テレビ機能付きファクシミリ装置
２  主制御部
３  操作パネル
５  読取り制御部
６  スキャナ部
１０  画像処理部
１１  表示制御部
１２  表示装置
１５  ファクシミリ通信制御部
１６  電話機能制御部
２１  コードレス電話用無線制御部
２２  コードレス子機
２４  大容量記憶装置
２５  大容量記憶装置制御部
２６  ＴＶ制御部
２７  ＴＶチューナ
２８  録画・再生制御部
３０  大画面付きのファクシミリ装置
３１  ＴＶ映像受信部
３２  録画用大容量記憶装置
【図１】
2006340307.tif 000003
【図２】
2006340307.tif 000004
【図３】
2006340307.tif 000005